【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】被写体を撮像する撮像手段と、無線端末装置からのアクセスに基づいて前記撮像した画像を前記無線端末装置へ送信する通信手段と、前記無線端末装置から前記撮像手段の撮像方向を変えるよう指示があった場合、撮像方向を変える動作中に撮像した画像の送信は行わず、前記撮像方向を変える前と前記撮像方向を変えた後に撮像した画像を前記通信手段に送信させる制御手段と、を具備することを特徴とする画像通信装置。
【請求項２】被写体を撮像する撮像手段と、複数のクライアント装置からのアクセスに基づいて撮像した画像を前記クライアント装置へ送信する通信手段と、第１のクライアント装置から前記撮像手段の撮像方向を変えるよう指示があった場合、撮像方向を変える動作中に撮像した画像の送信は行わず、前記撮像方向を変える前と前記撮像方向を変えた後に撮像した画像を前記通信手段に送信させ、一方、第２のクライアント装置から前記撮像手段の撮像方向を変えるよう指示があった場合、前記撮像方向を変える前に撮像した画像から前記撮像方向を変えた後に撮像した画像までを連続して前記通信手段に送信させる制御手段と、を備えることを特徴とする画像通信装置。
【請求項３】前記第１のクライアント装置は、携帯無線端末装置であることを特徴とする請求項２記載の画像通信装置。
【請求項４】前記第２のクライアント装置は、コンピュータ装置であることを特徴とする請求項２記載の画像通信装置。
【手続補正２】
【補正対象書類名】明細書
【補正対象項目名】０００６
【補正方法】変更
【補正の内容】
【０００６】
【課題を解決するための手段】
本発明は上記従来の課題を解決するために、被写体を撮像する撮像手段と、無線端末装置からのアクセスに基づいて撮像した画像を無線端末装置へ送信する通信手段と、無線端末装置から撮像手段の撮像方向を変えるよう指示があった場合、撮像方向を変える動作中に撮像した画像の送信は行わず、撮像方向を変える前と撮像方向を変えた後に撮像した画像を通信手段に送信させる制御手段と、を具備する構成とすることにより、撮像手段の撮像方向が所定の方向から所望の方向へ向き終わるまでの間に撮像された全ての画像は送信せずに、撮像手段の撮像方向が所望の方向へ変わる前と変わった後に撮像した画像を、即ち、撮像画像として支障をきたさない必要最低限な画像を無線端末装置へ送るので、所望の方向へ撮像手段の撮像方向を変えた場合であっても通信速度が遅く容量の大きなデータを受信することが困難な無線端末装置に対して良好な撮像画像を無線端末装置へ送ることができ、その結果、アクセスする機器によって最適な条件で画像データ等を提供することができる。
また、通信速度が遅く容量の大きいデータを受信することが困難な無線端末装置であっても、撮像手段から画像を入手する場合に自動的にデータ量の少ない静止画像データが選択され、迅速に表示部に画像サーバから送信される静止画像データを受信することができる。
更に、携帯電話装置などの無線端末装置は、インターネット等のネットワークに接続するときにはＩＰパケット毎にインフラ業者から課金される仕組みが多く、撮像手段にアクセスした際、データ量の少ない画像データが一枚（設定された枚数）送信されるだけなので、必要以上に画像データを受信することがなく無用に課金されるようなことがないので、利便性に優れている。また、無線端末装置のダイヤルキーなどの入力手段で簡単にパンチルト動作、プリセット動作、更新動作等をすることができるため、優れた操作性を得ることができる。
【手続補正３】
【補正対象書類名】明細書
【補正対象項目名】０００７
【補正方法】変更
【補正の内容】
【０００７】
【発明の実施の形態】
本発明の請求項１に記載の発明は、被写体を撮像する撮像手段と、無線端末装置からのアクセスに基づいて前記撮像した画像を無線端末装置へ送信する通信手段と、無線端末装置から撮像手段の撮像方向を変えるよう指示があった場合、撮像方向を変える動作中に撮像した画像の送信は行わず、撮像方向を変える前と撮像方向を変えた後に撮像した画像を前記通信手段に送信させる制御手段と、を具備する画像通信装置であって、無線端末装置から撮像手段の撮像方向を変えるよう指示があった場合、撮像方向を変える前と撮像方向を変えた後に撮像した画像を通信手段に送信させることにより、撮像手段の撮像方向が所定の方向から所望の方向へ向き終わるまでの間に撮像された全ての画像は送信せずに、撮像手段の撮像方向が所望の方向へ変わる前と変わった後に撮像した画像を、即ち、撮像画像として支障をきたさない必要最低限な画像を無線端末装置へ送るので、所望の方向へ撮像手段の撮像方向を変えた場合であっても通信速度が遅く容量の大きなデータを受信することが困難な無線端末装置に対して良好な撮像画像を無線端末装置へ送ることができ、その結果、アクセスする機器によって最適な条件で画像データ等を提供することができるという作用を有する。
また、通信速度が遅く容量の大きいデータを受信することが困難な無線端末装置であっても、撮像手段から画像を入手する場合に自動的にデータ量の少ない静止画像データが選択され、迅速に表示部に画像サーバから送信される静止画像データを受信することができるという作用を有する。
更に、携帯電話装置などの無線端末装置は、インターネット等のネットワークに接続するときにはＩＰパケット毎にインフラ業者から課金される仕組みが多く、撮像手段にアクセスした際、データ量の少ない画像データが一枚（設定された枚数）送信されるだけなので、必要以上に画像データを受信することがなく無用に課金されるようなことがないので、利便性に優れている。また、無線端末装置のダイヤルキーなどの入力手段で簡単にパンチルト動作、プリセット動作、更新動作等をすることができるため、優れた操作性を得ることができるという作用を有する。
【手続補正４】
【補正対象書類名】明細書
【補正対象項目名】０００８
【補正方法】変更
【補正の内容】
【０００８】
本発明の請求項２に記載の発明は、被写体を撮像する撮像手段と、複数のクライアント装置からのアクセスに基づいて撮像した画像を前記クライアント装置へ送信する通信手段と、第１のクライアント装置から前記撮像手段の撮像方向を変えるよう指示があった場合、撮像方向を変える動作中に撮像した画像の送信は行わず、前記撮像方向を変える前と前記撮像方向を変えた後に撮像した画像を前記通信手段に送信させ、一方、第２のクライアント装置から前記撮像手段の撮像方向を変えるよう指示があった場合、前記撮像方向を変える前に撮像した画像から前記撮像方向を変えた後に撮像した画像までを連続して前記通信手段に送信させる制御手段と、を備える画像通信装置であって、第１のクライアント装置から撮像手段の撮像方向を変えるよう指示があった場合、撮像方向を変える動作中に撮像した画像の送信は行わず、撮像方向を変える前と撮像方向を変えた後に撮像した画像を通信手段に送信させることにより、撮像手段の撮像方向が所定の方向から所望の方向へ向き終わるまでの間に撮像された全ての画像を送信せずに、撮像方向が所望の方向へ変る前と所定の方向へと変わった後に撮像された画像を、即ち、撮像した画像として支障をきたさない必要最低限な画像を無線端末装置へ送り、一方、第２のクライアント装置から撮像手段の撮像方向を変えるよう指示があった場合、撮像方向を変える前に撮像した画像から撮像方向を変えた後に撮像した画像までの全ての画像を連続して通信手段に送信させることにより、撮像手段の撮像方向が所定の方向から所望の方向へ向き終わるまでの間に撮像されたすべての画像を連続して送信するので、画像を要求したクライアント装置の機種や機能或いは通信速度等に応じて画像の提供方法を変えつつ種別の異なるクライアント装置に対して迅速に所望の撮像画像を各々のクライアント装置へ提供することができる。その結果、アクセスする機器によって最適な条件で画像データ等を提供することができる画像通信装置を提供することができるという作用を有する。
【手続補正５】
【補正対象書類名】明細書
【補正対象項目名】０００９
【補正方法】変更
【補正の内容】
【０００９】
本発明の請求項３に記載の発明は、請求項２に記載の画像通信装置であって、前記第１のクライアント装置は、携帯無線端末装置とすることにより、第１のクライアント装置を携帯無線端末装置とすることにより、画像サーバへ画像の送信指示を行ったクライアント装置が携帯無線端末装置であることを示す識別情報を送信するだけで、画像サーバから所望の画像を携帯無線端末装置側で受信できるので、携帯無線端末装置の電波が届くエリア内であればどこからでも撮像手段で撮像した所望の画像を得ることができるという作用を有する。
更に、携帯無線端末装置であることを示す識別情報を送信するようにすることにより、携帯無線端末装置のＵＲＬに携帯無線端末装置自身のＩＰアドレスと識別情報とを入力するだけで、携帯無線端末装置側で特段の操作を行うことなく簡単に所望の画像を得ることができる。
また、撮像方向を変える前に撮像した画像と撮像方向を変えた後に撮像した画像を通信手段に送信させることにより、通信速度が遅く容量の大きいデータを受信することが困難な無線端末装置であっても、撮像手段から画像を入手する場合に自動的にデータ量の少ない静止画像データが選択され、迅速に表示部に画像サーバから送信される静止画像データを受信することが可能となる。
更に、撮像方向を変える前と撮像方向を変えた後に撮像した画像を通信手段に送信させることにより、携帯電話装置などの無線端末装置は、インターネット等のネットワークに接続するときにはＩＰパケット毎にインフラ業者から課金される仕組みが多く、画像サーバにアクセスした際、データ量の少ない画像データが一枚（設定された枚数）送信されるだけなので、必要以上に画像データを受信することがなく無用に課金されるようなことがないので、利便性に優れている。また、無線端末装置のダイヤルキーなどの入力手段で簡単にパンチルト動作、プリセット動作、更新動作等をすることができるため、操作性においても優れている。
【手続補正６】
【補正対象書類名】明細書
【補正対象項目名】００１０
【補正方法】変更
【補正の内容】
【００１０】
本発明の請求項４に記載の発明は、請求項２に記載の画像通信装置であって、第２のクライアント装置は、コンピュータ装置とする画像通信装置であって、クライアント装置を携帯無線端末装置とすることにより、画像サーバへ画像の送信指示を行ったクライアント装置が携帯無線端末装置であることを示す識別情報を送信するだけで、画像サーバから所望の画像を携帯無線端末装置側で受信できるので、携帯無線端末装置の電波が届くエリア内であればどこからでもカメラで撮像した所望の画像を得ることができる。
更に、携帯無線端末装置のＵＲＬに携帯無線端末装置自身のＩＰアドレスと識別情報とを入力するだけで、携帯無線端末装置側で特段の操作を行うことなく簡単に所望の画像を得ることができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００３８
【補正方法】変更
【補正の内容】
【００３８】
【発明の効果】
本発明は、被写体を撮像する撮像手段と、無線端末装置からのアクセスに基づいて前記撮像した画像を前記無線端末装置へ送信する通信手段と、前記無線端末装置から前記撮像手段の撮像方向を変えるよう指示があった場合、撮像方向を変える動作中に撮像した画像の送信は行わず、前記撮像方向を変える前と前記撮像方向を変えた後に撮像した画像を前記通信手段に送信させる制御手段と、を具備する構成としたので、無線端末装置から撮像手段の撮像方向を変えるよう指示があった場合、撮像方向を変える前と撮像方向を変えた後に撮像した画像を通信手段に送信させることにより、撮像手段の撮像方向が所定の方向から所望の方向へ向き終わるまでの間に撮像された全ての画像は送信せずに、撮像手段の撮像方向が所望の方向へ変わる前と変わった後に撮像した画像を、即ち、撮像画像として支障をきたさない必要最低限な画像を無線端末装置へ送るので、所望の方向へ撮像手段の撮像方向を変えた場合であっても通信速度が遅く容量の大きなデータを受信することが困難な無線端末装置に対して良好な撮像画像を無線端末装置へ送ることができ、その結果、アクセスする機器によって最適な条件で画像データ等を提供することができるという作用を有する。
また、通信速度が遅く容量の大きいデータを受信することが困難な無線端末装置であっても、撮像手段から画像を入手する場合に自動的にデータ量の少ない静止画像データが選択され、迅速に表示部に画像サーバから送信される静止画像データを受信することができるという作用を有する。
更に、携帯電話装置などの無線端末装置は、インターネット等のネットワークに接続するときにはＩＰパケット毎にインフラ業者から課金される仕組みが多く、撮像手段にアクセスした際、データ量の少ない画像データが一枚（設定された枚数）送信されるだけなので、必要以上に画像データを受信することがなく無用に課金されるようなことがないので、利便性に優れている。また、無線端末装置のダイヤルキーなどの入力手段で簡単にパンチルト動作、プリセット動作、更新動作等をすることができるため、優れた操作性を得ることができるという作用を有する。
【手続補正１０】
【補正対象書類名】明細書
【補正対象項目名】００３９
【補正方法】変更
【補正の内容】
【００３９】
また、本発明は、第１のクライアント装置から撮像手段の撮像方向を変えるよう指示があった場合、撮像方向を変える動作中に撮像した画像の送信は行わず、撮像方向を変える前と撮像方向を変えた後に撮像した画像を通信手段に送信させることにより、カメラの撮像方向が所定の方向から所望の方向へ向き終わるまでの間に撮像された全ての画像を送信せずに、撮像方向が所望の方向へ変る前と変わった後に撮像された画像を、即ち、撮像した画像として支障をきたさない必要最低限な画像を無線端末装置へ送り、一方、第２のクライアント装置から撮像手段の撮像方向を変えるよう指示があった場合、撮像方向を変える前に撮像した画像から撮像方向を変えた後に撮像した画像までの全ての画像を連続して通信手段に送信させることにより、撮像手段の撮像方向が所定の方向から所望の方向へ向き終わるまでの間に撮像されたすべての画像を連続して送信するので、画像を要求したクライアント装置の機種や機能或いは通信速度等に応じて画像の提供方法を変えつつ種別の異なるクライアント装置に対して迅速に所望の撮像画像を各々のクライアント装置へ提供することができる。その結果、アクセスする機器によって最適な条件で画像データ等を提供することができる画像通信装置を提供することができる。
【手続補正１１】
【補正対象書類名】明細書
【補正対象項目名】００４０
【補正方法】変更
【補正の内容】
【００４０】
また、本発明は、第１のクライアント装置を携帯無線端末装置とすることにより、画像サーバへ画像の送信指示を行ったクライアント装置が携帯無線端末装置であることを示す識別情報を送信するだけで、画像サーバから所望の画像を携帯無線端末装置側で受信できるので、携帯無線端末装置の電波が届くエリア内であればどこからでもカメラで撮像した所望の画像を得ることができる。更に、携帯無線端末装置のＵＲＬに携帯無線端末装置自身のＩＰアドレスと識別情報とを入力するだけで、携帯無線端末装置側で特段の操作を行うことなく簡単に所望の画像を得ることができる。また、通信速度が遅く容量の大きいデータを受信することが困難な無線端末装置であっても、撮像手段から画像を入手する場合に自動的にデータ量の少ない静止画像データが選択され、迅速に表示部に画像サーバから送信される静止画像データを受信することが可能となる。更に、携帯電話装置などの無線端末装置は、インターネット等のネットワークに接続するときにはＩＰパケット毎にインフラ業者から課金される仕組みが多く、画像サーバにアクセスした際、データ量の少ない画像データが一枚（設定された枚数）送信されるだけなので、必要以上に画像データを受信することがなく無用に課金されるようなことがないので、利便性に優れている。また、無線端末装置のダイヤルキーなどの入力手段で簡単にパンチルト動作、プリセット動作、更新動作等をすることができるため、操作性においても優れている。
【手続補正１２】
【補正対象書類名】明細書
【補正対象項目名】００４１
【補正方法】変更
【補正の内容】
【００４１】
また、本発明は、第２のクライアント装置をコンピュータ装置とすることにより、画像サーバへ画像の送信指示を行ったクライアント装置が端末装置であることを示す識別情報を送信するだけで、画像サーバから所望の画像を端末装置側で受信できるので、端末装置からカメラで撮像した所望の画像を得ることができる。更に、端末装置のＵＲＬに端末装置自身のＩＰアドレスと識別情報とを入力するだけで、端末装置側で特段の操作を行うことなく簡単に所望の画像を得ることができる。